(57)【要約】【課題】電子機器に接続されるコードの外周に、所定のモチーフの象形物が形成された装飾コードを提供する。【解決手段】装飾コードは、電気機器の外部接続に使用されるコードにおいて、コードの外周に該コードを内包するように刺繍糸などの糸が編み込まれ、コードを折り曲げることなく、糸によって所定のモチーフの象形物が形成される。糸でコードのドレスを編んだイメージを醸し出すように、コードの外周に糸を編み込んでいく。様々な色や太さの糸で外周を編み込むことにより、コードの外観の装飾性を高めることができると共に、糸によって所定のモチーフの象形物を形成することにより、さらに装飾性を高める。【選択図】図１
2015070340.tif 000002
【特許請求の範囲】
【請求項１】
電気機器の外部接続に使用されるコードにおいて、
前記コードの外周に該コードを内包するように糸が編み込まれ、
前記コードを折り曲げることなく、前記糸によって所定のモチーフの象形物が形成されたことを特徴とする装飾コード。
【請求項２】
前記コードの外周に糸で編み込まれた編み物は、前記コードを内包するチューブ形状を呈し、該チューブの外周に前記象形物を形成する物であることを特徴とする請求項１に記載の装飾コード。
【請求項３】
前記象形物が、平面状装飾体として形成され、
前記装飾体に施された所定のモチーフが、
前記コードを木、枝又は蔓に見立てた場合に、それに接する動物、植物又は虫、
或いは、前記コードを紐又はチェーンに見立てた場合に、それに連なる宝石、真珠又は文字列、であることを特徴とする請求項１又は２に記載の装飾コード。
【請求項４】
前記糸が刺繍糸からなることを特徴とする請求項１〜３の何れかに記載の装飾コード。
【発明の詳細な説明】
【技術分野】
【０００１】
本発明は、オーディオ機器用イヤホンコードや電子機器の電源コードなどに対して、コードの外周に糸が編み込まれ、コードを折り曲げることなく、糸によって所定のモチーフの象形物が形成された装飾コードに関するものである。
【背景技術】
【０００２】
従来、オーディオ機器用イヤホンコード，電子機器の電源コード，電源ケーブルは、殆どが黒色系統の絶縁性樹脂で被覆されたものであり、イヤホンコードなどで白色系のものが散見される。これらのコードやケーブルは、単なるコードやケーブルの外観を呈する程度であり、飾り気のない無表情なコードと言える。長いコードやケーブルであればあるほど、机や床上に配置される場合、目が留まってしまい、景観を損ねたりする要因となる。そのため、余分に長いコードやケーブルを巻き取ったり、収納したりする。
しかしながら、イヤホンコードであればファッションの一部として利用でき、また、電子機器の電源コードや、天井吊り下げタイプの照明器具の吊り下げコードであればインテリアの一部として利用できるにも関わらず、そのような試みは少ないのが現状である。
【０００３】
一方で、刺繍糸など糸で編み込まれたアクセサリーが知られている。例えば、刺繍糸を用いてブレスレットを作製して装飾性を高めたもの、或いは、チェーンで作られたブレスレットに刺繍糸を編み込んでブレスレットの装飾性を高めたものが知られている。また、ベルト、イヤリング、イヤホンコードに刺繍糸を編み込んで装飾性を高めたものが知られている。
【０００４】
また、電気機器の外部接続に使用される電気コードにおいて、電気コードの外周に装飾具を組み付けた装飾電気コードが知られている（特許文献１を参照。）。特許文献１に開示された装飾電気コードの場合、装飾具は、毛皮材、レース布材、紐材、線材であり、電気コードの外周へ巻き付け、縫い付け、編み込み、若しくは接着により取り付けて組み付けている。また、装飾具は、連結材の長さ方向に、玉状又は塊状に加工された金属材、プラスティック材、木材、ゴム材、ガラス材、陶磁器材、宝石、ビーズ細工材から選択される少なくとも一種又は二種以上を組み合わせて連結して成り、同連結材を電気コードの長手方向に沿わせその外周へ取り付けて組み付けている。
【０００５】
しかしながら、特許文献１の装飾電気コードの場合、コードの外周へ巻き付け、編み込みなどによって取り付けた装飾具だけでは、装飾デザイナーの考える多種多様のモチーフが第三者に伝わり難いという問題がある。
ここで、装飾デザイナーの考える多種多様のモチーフとは、例えば、コードといった紐状あるいは帯状のものと関連する動物、植物、虫、宝石、真珠又は文字列などといったモチーフを表現するには、コードの外周へ巻き付けたり編み込んだりするだけでは難しいということである。コードは収納する場合を除き、コードの使用状態では、極度に折れ曲がることなく、しなやかに蛇行する程度であり、また一般的に径は数ｍｍ程度である。このようなコードの外周に装飾する場合、自ずと幾何学的な模様になりがちであり、装飾デザイナーの考える多種多様のモチーフを描き出す模様を表現することは難しい。
【０００６】
また、フレキシブルなチューブ本体に塊状の装飾体が数珠繋ぎに連結されているイヤホン装置が知られている（特許文献２を参照。）。イヤホンコードが装飾化されたものであるが、イヤホン端末器を安定的に装着することに重点しており、この場合もまた、装飾デザイナーの考える多種多様のモチーフが第三者に伝わり難いという問題がある。
【０００７】
また、電線の特定区域に接続された複数のバルブを具えたビーズランプが知られている（特許文献３を参照。）。複数連なったビーズの中に電線を貫通させたもので、ビーズによって電線が装飾化されたものであるが、この場合もまた、装飾デザイナーの考える多種多様のモチーフが第三者に伝わり難いという問題がある。
【０００８】
また、イヤホンコードの構成体である電線コードの外周に設けられ、イヤホンコードの外周に装着された花柄、星柄、球状柄、矩形柄、柱状柄、ハート柄および螺旋状柄等の装飾模様を形成するイヤホンコード用装飾具が知られている（特許文献４を参照。）。特許文献４のイヤホンコード用装飾具の場合、花柄、星柄、球状柄、矩形柄、柱状柄、ハート柄および螺旋状柄等の装飾模様によって、イヤホンコードが装飾化されたものであるが、コードの外周に沿って装飾を施したものであることから、この場合もまた、装飾デザイナーの考える多種多様のモチーフが第三者に伝わり難いという問題がある。
【先行技術文献】
【特許文献】
【０００９】
【特許文献１】特開２０１２−２０４１６号公報
【特許文献２】特開２００５−０４５６７１号公報
【特許文献３】実登３１０４２６７号実用新案登録公報
【特許文献４】特開２００４−１８０２５２号公報
【発明の概要】
【発明が解決しようとする課題】
【００１０】
上記状況に鑑みて、本発明は、電子機器に接続されるコードの外周に、所定のモチーフの象形物が形成された装飾コードを提供することを目的とする。
【課題を解決するための手段】
【００１１】
本発明者はデザイナーであり、某刺繍糸の供給メーカーと協業し、刺繍糸などの糸の装飾デザイン性に着眼し、電気機器のコードなどの無表情なコードを、よりファッショナブルに、よりインテリアらしくし、購入者の興味を掻き立てるような、装飾コードを開発した。
【００１２】
すなわち、上記目的を達成すべく、本発明の装飾コードは、電気機器の外部接続に使用されるコードにおいて、コードの外周に該コードを内包するように糸が編み込まれ、コードを折り曲げることなく、糸によって所定のモチーフの象形物が形成されたことを特徴とする。
本発明の場合、糸でコードのドレスを編んだイメージを醸し出すように、コードの外周に糸を編み込んでいく。本発明では、様々な色や太さの糸、例えば刺繍糸で外周を編み込むことにより、コードの外観の装飾性を高めることができると共に、糸によって所定のモチーフの象形物を形成することにより、さらに装飾性を高めている。
糸は、ウールや麻のような短繊維や、絹やポリエステルのような長繊維など各種の繊維を一定の方向にそろえ、適当な必要とする細さに引き伸ばしたのち、適当な撚りをかけ、均一な強伸度を保つように加工したものであり、絹糸、ミシン糸（例えば、スパン、レジロン、ウーリーおよびカタン）、刺繍糸がある。刺繍糸は光沢を持ち、装飾性をより高めることができるため、糸には刺繍糸が好適に用いられる。
【００１３】
ここで、コードは、電子機器に接続されるコードで、例えば、音源機器のイヤホンジャックに接続され音声の空気振動を伝送するチューブ（イヤホンコード）、電気照明用ソケットコード、ＵＳＢ（Universal Serial Bus）端末接続コード、電気機器の電源コードを指す。
【００１４】
イヤホンコードの場合、身に付けるアクセサリーやネックレスと同様な装飾性を醸し出すことが可能になる。また、天井から吊り下げる照明器具の吊り下げ型ソケットコードの場合、所定のモチーフの象形物が吊り下げ型ソケットコードに現れることでインテリアの一部としてソケットコードの外観の装飾性を高めることになる。また、床を這う電源コードの場合、所定のモチーフの象形物が床に描かれたように現れることになり、電源コードの外観の装飾性を高めることになる。
【００１５】
また、本発明の装飾コードにおいて、コードの外周に糸で編み込まれた編み物は、コードを内包するチューブ形状を呈し、該チューブの外周に象形物を形成する物である。
糸で編み込まれた編み物が、コードを内包するチューブ形状を呈することにより、従来のコードの外観イメージ（黒などの単色で覆われたイメージ）を隠して、糸でコードのドレスを編んだイメージを確実に醸し出すことができる。また、編み物が、チューブの外周に象形物を形成することにより、コードといった紐状あるいは帯状に関連するモチーフを表すことができる。
【００１６】
また、本発明の装飾コードにおいて、上記の象形物が、平面状装飾体として形成され、装飾体に施された所定のモチーフが以下の１），２）の何れかであることが好ましい。
１）コードを木、枝又は蔓に見立てた場合に、それに接する動物、植物又は虫。
２）コードを紐又はチェーンに見立てた場合に、それに連なる宝石、真珠又は文字列。
コードを木、枝又は蔓に見立て、それに接する動物、植物又は虫をモチーフとして装飾体を形成することで、コードに施されるモチーフが、違和感なくコードの外周に存在することができ、コードの装飾性をさらに高めることができる。コードを紐又はチェーンに見立てた場合も同様に、それに連なる宝石、真珠又は文字列をモチーフとして装飾体を形成することで、コードに施されるモチーフが、違和感なくコードの外周に存在することができ、コードの装飾性をさらに高めることができる。
【発明の効果】
【００１７】
本発明によれば、電子機器に接続されるコードのファッション性あるいはインテリア性を向上させることができる。例えば、イヤホンコードであればファッションの一部として利用でき、また、電子機器の電源コードであればインテリアの一部として利用できる。
【図面の簡単な説明】
【００１８】
【図１】実施例１の装飾コードの外観図
【図２】実施例２の装飾コードの外観図
【図３】実施例３の装飾コードの外観図
【図４】実施例４の装飾コードの外観図
【図５】実施例５の装飾コードの外観図
【図６】実施例６の装飾コードの外観図
【図７】実施例７の装飾コードの外観図
【図８】実施例８の装飾コードの外観図
【発明を実施するための最良の形態】
【００１９】
以下、本発明の実施形態について、図面を参照しながら詳細に説明していく。なお、本発明の範囲は、以下の実施例や図示例に限定されるものではなく、幾多の変更及び変形が可能である。
【実施例１】
【００２０】
図１は、実施例１の装飾コードの外観図を示している。図１では携帯電話端末１１にイヤホンコード２が挿し込まれた状態を示している。イヤホンコード２の外周に該コードを内包するように刺繍糸が編み込まれている。そして、イヤホンコード２を折り曲げることなく、刺繍糸によって、蔓に片手で掴まる猿のモチーフの象形物１が形成され、装飾コードを形成している。
イヤホンコード２の外周に編み込まれる刺繍糸は、刺繍糸による編み物と同様に、各種の色や模様を表現することが可能である。
【実施例２】
【００２１】
図２（１）〜（３）は、実施例２の装飾コードの外観図を示している。図２（１）〜（３）では、照明器具１２と該照明器具１２を天井から吊り下げるソケットコード３を示している。ソケットコード３の外周に該コードを内包するように刺繍糸が編み込まれている。
図２（１）では、ソケットコード３を折り曲げることなく、刺繍糸によって、木に留まっているキツツキ（鳥）のモチーフの象形物４ａが形成され、装飾コードを形成している。
また、図２（２）では、ソケットコード３を折り曲げることなく、刺繍糸によって、波形の装飾デザインの象形物４ｂが形成され、装飾コードを形成している。
また、図２（３）では、ソケットコード３を折り曲げることなく、刺繍糸によって、ソケットコード３を細い枝に見立て、枝に生える葉のモチーフの象形物４ｃが形成され、装飾コードを形成している。
ソケットコード３の外周に編み込まれる刺繍糸は、刺繍糸による編み物と同様に、各種の色や模様を表現することが可能である。
【実施例３】
【００２２】
図３は、実施例３の装飾コードの外観図を示している。図３では音楽用携帯プレーヤー１３にイヤホンコードが挿し込まれた状態を示している。図３において、１４ａ，１４ｂがイヤホンであり、イヤホン（１４ａ，１４ｂ）と音楽用携帯プレーヤー１３の間がイヤホンコードである。イヤホンコードの外周に該コードを内包するように刺繍糸が編み込まれている（５ａ，５ｃ，５ｆ）。そして、イヤホンコードを折り曲げることなく、刺繍糸によって、蔓に咲く小花のモチーフの象形物（５ｂ，５ｄ，５ｅ）が形成され、装飾コード５を形成している。
イヤホンコードの外周に編み込まれる刺繍糸は、刺繍糸による編み物と同様に、各種の色や模様を表現することが可能である。
【実施例４】
【００２３】
図４は、実施例４の装飾コードの外観図を示している。図４ではノート型パソコン１５とＡＣアダプター１６を結ぶ電源コードを示している。この電源コードの外周に該コードを内包するように刺繍糸が編み込まれている。そして、電源コードを折り曲げることなく、刺繍糸によって、沢山の蝶々の群れといったモチーフの象形物６ａが形成され、装飾コード６を形成している。
電源コードの外周に編み込まれる刺繍糸は、刺繍糸による編み物と同様に、各種の色や模様を表現することが可能である。
【実施例５】
【００２４】
図５は、実施例５の装飾コードの外観図を示している。図５では携帯電話端末１１にイヤホンコード、或いは、電源コードやＵＳＢ端末接続コードが挿し込まれた状態を示している。イヤホンコード等のコードの外周に該コードを内包するように刺繍糸が編み込まれている（７ａ，７ｅ）。そして、コードを折り曲げることなく、刺繍糸によって、“ＲＥＹ”の３文字のモチーフの象形物（７ｂ，７ｃ，７ｄ）が形成され、装飾コード７を形成している。コードの外周に編み込まれる刺繍糸は、刺繍糸による編み物と同様に、各種の色や模様を表現することが可能である。
【実施例６】
【００２５】
図６（１），（２）は、実施例６の装飾コードの外観図を示している。図６（１），（２）では携帯電話端末１１にイヤホンコード、或いは、電源コードやＵＳＢ端末接続コードが挿し込まれた状態を示している。図６（１）では、イヤホンコード等のコードの外周に該コードを内包するように刺繍糸が編み込まれている（８ｂ，８ｃ）。そして、コードを折り曲げることなく、刺繍糸によって、葉のモチーフの象形物（８ａ，８ｄ）が形成され、装飾コード８を形成している。また、図６（２）では、イヤホンコード等のコードの外周に該コードを内包するように刺繍糸が編み込まれている（９ｅ）。そして、コードを折り曲げることなく、刺繍糸によって、葉のモチーフの象形物（９ａ〜９ｄ，９ｆ）が形成され、装飾コード９を形成している。図６（１），（２）において、装飾コード（８，９）の外周に編み込まれる刺繍糸は、刺繍糸による編み物と同様に、各種の色や模様を表現することが可能である。
【実施例７】
【００２６】
図７（１）〜（３）は、実施例７の装飾コードの外観図を示している。図７（１）〜（３）では携帯電話端末１１にイヤホンコード、或いは、電源コードやＵＳＢ端末接続コードが挿し込まれた状態を示している。イヤホンコード等のコード（２１〜２３）の外周に該コードを内包するように刺繍糸が編み込まれている。そして、コード（２１〜２３）を折り曲げることなく、刺繍糸によって、鳥（２１ａ，２１ｂ）、リボン２２ａ、チェーン２２ｂや宝石（２２ｃ，２３ａ〜２３ｆ）のモチーフの象形物が形成され、装飾コードを形成している。コードの外周に編み込まれる刺繍糸は、刺繍糸による編み物と同様に、各種の色や模様を表現することが可能である。
【実施例８】
【００２７】
図８（１）〜（３）は、実施例８の装飾コードの外観図を示している。図８（１）〜（３）では携帯電話端末１１にイヤホンコード、或いは、電源コードやＵＳＢ端末接続コードが挿し込まれた状態を示している。イヤホンコード等のコード（３１〜３３）の外周に該コードを内包するように刺繍糸が編み込まれている。そして、コード（３１〜３３）を折り曲げることなく、刺繍糸によって、花や葉（３１ａ〜３１ｆ，３２ａ，３２ｂ，３３ａ〜３３ｃ）のモチーフの象形物が形成され、装飾コードを形成している。コードの外周に編み込まれる刺繍糸は、刺繍糸による編み物と同様に、各種の色や模様を表現することが可能である。
【産業上の利用可能性】
【００２８】
本発明の装飾コードは、アクセサリー、ネックレス、インテリアグッズとして有用である。
【符号の説明】
【００２９】
１，４ａ〜４ｃ，５〜９    象形物
２    イヤホンコード
３    ソケットコード
１１  携帯電話端末
１２  照明器具
１３  音楽用携帯プレーヤー
１４ａ，１４ｂ  イヤホン
１５  ノート型パソコン
１６  ＡＣアダプター
【図１】
2015070340.tif 000003
【図２】
2015070340.tif 000004
【図３】
2015070340.tif 000005
【図４】
2015070340.tif 000006
【図５】
2015070340.tif 000007
【図６】
2015070340.tif 000008
【図７】
2015070340.tif 000009
【図８】
2015070340.tif 000010